(57)【特許請求の範囲】
【請求項１】
駆動源としてエンジンとモータを備え、前記エンジンと前記モータとの間に第１クラッチを介装し、前記モータと駆動輪との間に第２クラッチ及び変速機を介装したハイブリッド車両に搭載され、
前記第１クラッチを開放し、前記モータのみを動力源とした走行中にエンジン始動要求があった場合、前記第２クラッチを滑り締結すると共に前記第１クラッチを締結し、前記モータをスタータモータとして前記エンジンを始動するエンジン始動制御部を備えたハイブリッド車両の制御装置において、
前記エンジン始動制御部は、
エンジン始動要求発生時の前記変速機の変速比の大きさを判定する変速比判定部と、
前記エンジン始動要求が発生する前のドライバーの要求駆動力の大きさを判定する始動要求前駆動力判定部と、
前記エンジンの始動中における前記第１クラッチの伝達トルクと前記第２クラッチの伝達トルクとのトルク分担比を設定するトルク分担比設定部と、
を備え、
前記トルク分担比設定部は、前記エンジン始動要求発生前の要求駆動力が予め設定した第２閾値よりも小さい場合には、前記トルク分担比を、前記エンジン始動要求発生時の前記変速機の変速比の大きさに応じて設定し、
前記エンジン始動要求発生前の要求駆動力が前記第２閾値よりも大きい場合には、前記トルク分担比を、あらかじめ決められた比率に設定する
ことを特徴とするハイブリッド車両の制御装置。
【請求項２】
請求項１に記載されたハイブリッド車両の制御装置において、
前記トルク分担比設定部は、前記エンジン始動要求発生時の前記変速機の変速比が比較的小さい場合の前記エンジンの始動中における前記第１クラッチの伝達トルク分担比を、前記エンジン始動要求発生時の前記変速機の変速比が比較的大きい場合の前記エンジンの始動中における前記第１クラッチの伝達トルク分担比よりも、大きい値に設定する
ことを特徴とするハイブリッド車両の制御装置。
【請求項３】
請求項１又は請求項２に記載されたハイブリッド車両の制御装置において、
前記トルク分担比設定部は、前記エンジン始動要求発生時の前記変速機の変速比が予め設定した第１閾値よりも小さいときには、前記エンジンの始動中における前記第１クラッチの伝達トルク分担比を第１の値に設定し、
前記エンジン始動要求発生時の前記変速機の変速比が前記第１閾値よりも大きいときには、前記エンジンの始動中における前記第１クラッチの伝達トルク分担比を前記第１の値よりも小さい第２の値に設定する
ことを特徴とするハイブリッド車両の制御装置。
【請求項４】
請求項１又は請求項２に記載されたハイブリッド車両の制御装置において、
前記トルク分担比設定部は、前記エンジン始動要求発生時の前記変速機の変速比が小さいほど、前記エンジンの始動中における前記第１クラッチの伝達トルク分担比を大きい値に設定する
ことを特徴とするハイブリッド車両の制御装置。
【発明の詳細な説明】
【技術分野】
【０００１】
本発明は、エンジン始動要求時、モータと駆動輪との間の第２クラッチを滑り締結すると共に、エンジンとモータとの間の第１クラッチを締結し、モータによってエンジン始動を行うハイブリッド車両の制御装置に関する発明である。
【背景技術】
【０００２】
従来、走行駆動源として、燃料によって駆動するエンジンと、バッテリに蓄えられた電力によって駆動するモータを有するハイブリッド車両は、エンジンとモータの間の動力伝達を分割する第１クラッチと、モータと駆動輪の間の動力伝達を分割する第２クラッチと、駆動源出力回転数を変速する変速機と、を有している。
そして、このようなハイブリッド車両に搭載され、第１クラッチを開放し、モータのみを駆動源として走行する電気自動車走行モードでの走行中にエンジン始動要求があったときに、第２クラッチを滑り締結すると共に第１クラッチを締結し、モータをスタータモータとしてエンジン始動を行うハイブリッド車両の制御装置が知られている。このハイブリッド車両の制御装置では、エンジン始動後、第１クラッチ及び第２クラッチを完全締結し、エンジンとモータを駆動源として走行するハイブリッド走行モードへモード遷移する（例えば、特許文献１参照）。
【先行技術文献】
【特許文献】
【０００３】
【特許文献１】特開2007-69790号公報
【発明の概要】
【発明が解決しようとする課題】
【０００４】
ここで、変速機の変速段が高いとき（変速比が小さいとき）には、駆動輪に伝達されるトルクの変動幅が小さく、それに伴って生じる車両前後方向の加速度変動幅も小さい。一方、変速機の変速段が低いとき（変速比が大きいとき）には、駆動輪に伝達されるトルクの変動幅が大きく、それに伴って生じる車両前後方向の加速度変動幅も大きい。つまり、変速機の変速段によって、ドライバーのエンジン始動ショックの感じやすさに違いがあった。
しかしながら、従来のハイブリッド車両の制御装置にあっては、エンジン始動を行う場合、変速機の変速段に拘らず、ドライバーの要求駆動力を満足させながら第１クラッチを締結してエンジン始動を開始していた。
そのため、高変速段であってエンジン始動ショックを感じにくい状況であっても、エンジン始動中の第１クラッチ伝達トルクを高めて変速時間の短縮を図る、といったことができなかった。一方、低変速段での走行シーンは、一般的にドライバーの加速要求が高く、加速感を感じさせるために、エンジン始動感をドライバーに感じさせたいシーンとなる。しかしながら、加速要求が高いことでエンジン始動中の第１クラッチ伝達トルクを高めてしまうと、低変速段ではエンジン始動中の車両に作用する前後方向の加速度変動が大きくなってしまう。そのため、このエンジン始動中の車両加速度変動とエンジン始動後の車両加速度変動との差が小さくなってしまい、エンジン始動制御完了時点に生じるショックが分かりにくくなる。これにより、ドライバーがエンジン始動を感覚的に感じにくくなって、加速感を十分に感じさせることができなくなる。【０００５】
本発明は、上記問題に着目してなされたもので、エンジン始動時のドライバビリティの向上を図ることができるハイブリッド車両の制御装置を提供することを目的とする。
【課題を解決するための手段】
【０００６】
上記目的を達成するため、本発明のハイブリッド車両の制御装置は、駆動源としてエンジンとモータを備え、前記エンジンと前記モータとの間に第１クラッチを介装し、前記モータと駆動輪との間に第２クラッチ及び変速機を介装したハイブリッド車両に搭載される。そして、前記第１クラッチを開放し、前記モータのみを駆動源とした走行中にエンジン始動要求があった場合、前記第２クラッチを滑り締結すると共に前記第１クラッチを締結し、前記モータをスタータモータとして前記エンジンを始動するエンジン始動制御部を備えている。このエンジン始動制御部は、変速比判定部と、始動要求前駆動力判定部と、トルク分担比設定部と、を備えている。
前記変速比判定部は、エンジン始動要求発生時の前記変速機の変速比の大きさを判定する。
前記始動要求前駆動力判定部は、前記エンジン始動要求が発生する前のドライバーの要求駆動力の大きさを判定する。
前記トルク分担比設定部は、前記エンジンの始動中における前記第１クラッチの伝達トルクと前記第２クラッチの伝達トルクとのトルク分担比を設定する。さらに、前記エンジン始動要求発生前の要求駆動力が予め設定した第２閾値よりも小さい場合には、前記トルク分担比を、前記エンジン始動要求発生時の前記変速機の変速比の大きさに応じて設定する。また、前記エンジン始動要求発生前の要求駆動力が前記第２閾値よりも大きい場合には、前記トルク分担比を、あらかじめ決められた比率に設定する。
【発明の効果】
【０００７】
本願発明では、トルク分担比設定部により、エンジンの始動中における第１クラッチの伝達トルクと第２クラッチの伝達トルクとのトルク分担比が、エンジン始動要求発生時の変速比の大きさに応じて設定される。
ここで、トルク分担比とは、モータからの出力トルクのうち、第１クラッチの締結容量により受け持つ伝達トルクと、第２クラッチの締結容量により受け持つ伝達トルクの分担比率のことをいう。
すなわち、エンジン始動中におけるモータ出力トルクのうち、第１クラッチによって伝達されるトルクと、第２クラッチによって伝達されるトルクの分担比率が、エンジン始動要求発生時の変速比の大きさの違いによって変化する。
これにより、ドライバーに加速感を感じさせたいシーンでは、十分なエンジン始動ショックを発生させ、加速感を感じさせることができる。また、エンジン始動感を感じさせる必要のないシーンでは、短時間でのエンジン始動を行うことができる。この結果、走行状況に合わせたエンジン始動を行うことができ、エンジン始動時のドライバビリティの向上を図ることができる。
【図面の簡単な説明】
【０００８】
【図１】実施例１における制御装置が適用された後輪駆動によるＦＲハイブリッド車両(ハイブリッド車両の一例)を示す全体システム図である。
【図２】実施例１の統合コントローラのモード選択部に設定されているEV-HEV選択マップの一例を示す図である。
【図３】実施例１における制御装置でのトルク分担制御の対象となる第２クラッチを内蔵した自動変速機の一例を示すスケルトン図である。
【図４】実施例１における自動変速機でのギア段ごとの各摩擦締結要素の締結状態を示す締結作動表である。
【図５】実施例１におけるＡＴコントローラに設定されている自動変速機のシフトマップの一例を示す図である。
【図６】実施例１にて実行されるエンジン始動時のクラッチトルク分担比設定処理の流れを示すフローチャートである。
【図７】実施例１のクラッチトルク分担比設定マップの一例を示す図である。
【図８】実施例１における制御装置において、エンジン始動要求時の変速段が比較的高いときのアクセル開度・CL1伝達トルク指令値・CL2伝達トルク指令値・モータ回転数・エンジン回転数・変速機出力軸回転数・車両加速度の各特性を示すタイムチャートである。
【図９】実施例１における制御装置において、エンジン始動要求時の変速段が比較的低いときのアクセル開度・CL1伝達トルク指令値・CL2伝達トルク指令値・モータ回転数・エンジン回転数・変速機出力軸回転数・車両加速度の各特性を示すタイムチャートである。
【図１０】実施例１における制御装置において、エンジン始動要求前の目標駆動トルクが大きいときのアクセル開度・CL1伝達トルク指令値・CL2伝達トルク指令値・モータ回転数・エンジン回転数・変速機出力軸回転数・車両加速度の各特性を示すタイムチャートである。
【図１１】本発明のハイブリッド車両の制御装置の他の例における、クラッチトルク分担比設定マップの一例である。
【発明を実施するための形態】
【０００９】
以下、本発明のハイブリッド車両の制御装置を実施するための形態を、図面に示す実施例１に基づいて説明する。
【００１０】
（実施例１）
まず、構成を説明する。
実施例１における電動車両の制御装置の構成を、「全体システム構成」、「自動変速機の概略構成」、「エンジン始動時のクラッチトルク分担比設定処理構成」に分けて説明する。
【００１１】
［全体システム構成］
図１は、実施例１における制御装置が適用された後輪駆動によるＦＲハイブリッド車両（ハイブリッド車両の一例）の全体システム図を示し、図２は、統合コントローラのモード選択部に設定されているEV-HEV選択マップの一例を示す。以下、図１及び図２に基づいて、全体システム構成を説明する。
【００１２】
ＦＲハイブリッド車両の駆動系は、図１に示すように、エンジンEngと、第１クラッチCL1と、モータ/ジェネレータMG（モータ）と、第２クラッチCL2と、自動変速機ATと、変速機入力軸INと、プロペラシャフトPSと、ディファレンシャルDFと、左ドライブシャフトDSLと、右ドライブシャフトDSRと、左後輪RL（駆動輪）と、右後輪RR（駆動輪）と、を有する。なお、M-O/Pはメカオイルポンプ、S-O/Pは電動オイルポンプ、FLは左前輪、FRは右前輪、FWはフライホイールである。
【００１３】
前記エンジンEngは、走行駆動源となるガソリンエンジンやディーゼルエンジンであり、エンジンコントローラ１からのエンジン制御指令に基づいて、エンジン始動制御やエンジン停止制御やスロットルバルブのバルブ開度制御が行われる。なお、エンジン出力軸には、フライホイールFWが設けられている。
【００１４】
前記モータ/ジェネレータMGは、ロータに永久磁石を埋設しステータにステータコイルが巻き付けられた同期型モータ/ジェネレータであり、走行駆動源となる。このモータ/ジェネレータMGは、モータコントローラ２からの制御指令に基づいて、インバータ３により作り出された三相交流を印加することにより制御される。このモータ/ジェネレータMGは、バッテリ４からの電力の供給を受けて回転駆動する電動機として動作することもできるし（以下、この状態を「力行」と呼ぶ）、ロータがエンジンEngや駆動輪から回転エネルギーを受ける場合には、ステータコイルの両端に起電力を生じさせる発電機として機能し、バッテリ４を充電することもできる（以下、この動作状態を「回生」と呼ぶ）。なお、このモータ/ジェネレータMGのロータは、ダンパーを介して自動変速機ATの変速機入力軸INに連結されている。
【００１５】
前記第１クラッチCL1は、エンジンEngとモータ/ジェネレータMGとの間に設けられた締結要素である。この第１クラッチCL1は、CL1油圧を加えないときにダイアフラムスプリング等による付勢力にて締結状態となり、この付勢力に対抗するCL1油圧を加えることで開放する、いわゆるノーマルクローズタイプのクラッチである。
【００１６】
前記自動変速機ATは、ここでは、前進７速/後退１速の変速段を車速やアクセル開度等に応じて自動的に切り替える有段変速機である。そして、前記自動変速機ATの出力軸は、プロペラシャフトPS、ディファレンシャルDF、左ドライブシャフトDSL、右ドライブシャフトDSRを介して左右後輪RL,RRに連結されている。
【００１７】
前記第２クラッチCL2は、モータ/ジェネレータMGから左右後輪RL,RRまでの動力伝達経路に介装される摩擦締結要素である。ここでは、第２クラッチCL2として、自動変速機ATから独立した専用のクラッチとして新たに追加したものではなく、自動変速機ATを変速させるための摩擦締結要素（クラッチやブレーキ）を用いている。すなわち、自動変速機ATの各変速段にて締結される複数の摩擦締結要素のうち、締結条件等に適合する要素として選択した摩擦締結要素を第２クラッチCL2としている。なお、第１クラッチ油圧ユニット６と第２クラッチ油圧ユニット８は、自動変速機ATに付設されるAT油圧コントロールバルブユニットCVUに内蔵している。
【００１８】
このＦＲハイブリッド車両は、駆動形態の違いによるモードとして、電気自動車モード（以下、「EVモード」という。）と、ハイブリッド車モード（以下、「HEVモード」という。）と、駆動トルクコントロールモード（以下、「WSCモード」という。）と、を有する。
【００１９】
前記「EVモード」は、第１クラッチCL1を開放状態とし、駆動源をモータ/ジェネレータMGのみとするモードであり、モータ駆動モード（モータ力行）・ジェネレータ発電モード（ジェネレータ回生）を有する。この「EVモード」は、例えば、要求駆動力が低く、バッテリSOCが確保されているときに選択される。
【００２０】
前記「HEVモード」は、第１クラッチCL1を締結状態とし、駆動源をエンジンEngとモータ/ジェネレータMGとするモードであり、モータアシストモード（モータ力行）・エンジン発電モード（ジェネレータ回生）・減速回生発電モード（ジェネレータ回生）を有する。この「HEVモード」は、例えば、要求駆動力が高いとき、あるいは、バッテリSOCが不足するようなときに選択される。
【００２１】
前記「WSCモード」は、駆動形態は「HEVモード」であるが、モータ/ジェネレータMGを回転数制御することにより、第２クラッチCL2をスリップ締結状態に維持しつつ、第２クラッチCL2のトルク伝達容量をコントロールするモードである。第２クラッチCL2のトルク伝達容量は、第２クラッチCL2を経過して伝達される駆動力が、ドライバーのアクセル操作量にあらわれる要求駆動力となるようにコントロールされる。この「WSCモード」は、「HEVモード」選択状態での発進時等のように、エンジン回転数がアイドル回転数を下回る領域において選択される。
【００２２】
ＦＲハイブリッド車両の制御系は、図１に示すように、エンジンコントローラ１と、モータコントローラ２と、インバータ３と、バッテリ４と、第１クラッチコントローラ５と、第１クラッチ油圧ユニット６と、ＡＴコントローラ７と、第２クラッチ油圧ユニット８と、ブレーキコントローラ９と、統合コントローラ１０と、を有して構成されている。
【００２３】
前記各コントローラ１，２，５，７，９と、統合コントローラ１０とは、情報交換が互いに可能なＣＡＮ通信線１１を介して接続されている。なお、１２はエンジン回転数センサ、１３はレゾルバ、１５は油圧アクチュエータ１４のピストン１４ａのストローク位置を検出する第１クラッチストロークセンサ、１９は車輪速センサ、２０はブレーキストロークセンサである。
【００２４】
前記ＡＴコントローラ７は、アクセル開度センサ１６、車速センサ１７、選択されているレンジ位置（Ｎレンジ，Ｄレンジ，Ｒレンジ，Ｐレンジ等）を検出するインヒビタスイッチ１８、等からの情報を入力する。そして、Ｄレンジを選択しての走行時、アクセル開度APOと車速VSPにより決まる運転点が、シフトマップ（図５参照）上で存在する位置により最適な変速段を検索し、検索された変速段を得る制御指令をAT油圧コントロールバルブユニットCVUに出力する。この変速制御に加えて、統合コントローラ１０からの指令に基づき、第１クラッチCL1の完全締結（HEVモード）/スリップ締結（エンジン始動）/開放（EVモード）の制御を行う。また、第２クラッチCL2の完全締結（HEVモード）/μスリップ締結（EVモード）／回転差吸収スリップ締結（WSCモード）／変動トルク遮断スリップ締結（エンジン始動・停止モード）の制御を行う。
【００２５】
ここで、自動変速機ATが非変速状態でのEVモードによる走行中、第２クラッチCL2の微小スリップ回転（μスリップ回転）を維持する制御を「μスリップ制御」という。この「μスリップ制御」は、モータ/ジェネレータMGの実モータ回転数を、第２クラッチCL2が微小スリップ回転となる目標モータ回転数に一致させるように制御するモータ回転数制御により実施される。このモータ回転数制御中のモータトルクは、第２クラッチCL2によりモータ/ジェネレータMGが受ける負荷に応じたものとなるため、モータ回転数制御中のモータトルク検出値によりCL2実トルクを推定できる。また、「μスリップ制御」は、EV非変速状態、且つ、目標駆動トルクが規定値以上（フリクション等によるスリップ不可領域や低油圧により精度が確保できない領域を懸念して設定）の領域で実施する。目標駆動トルクが規定値以下は、第２クラッチCL2が滑らないような容量安全率を確保している。よって、EV変速直後、HEVモード⇒EVモードへのモード遷移直後、目標駆動トルクが低トルクからのアクセル踏み込みで、第２クラッチCL2をスリップインさせ、μスリップ制御が働く。
【００２６】
前記統合コントローラ１０は、車両全体の消費エネルギーを管理し、最高効率で車両を走らせるための機能を担うもので、モータ回転数Nmを検出するモータ回転数センサ２１や他のセンサ・スイッチ類２２からの必要情報及びＣＡＮ通信線１１を介して情報を入力する。また、この統合コントローラ１０には、モード選択部１０ａ、エンジン始動制御部１０ｂ、エンジン停止制御部１０ｃと、動作点指令部１０ｄと、を有している。
【００２７】
前記モード選択部１０ａは、図２に示すEV-HEV選択マップを用いて、アクセル開度APOと車速VSPにより決まる運転点の位置により検索した走行モードを、目標モードとして選択する。
前記エンジン停止制御部１０ｃは、「HEVモード」から「EVモード」へのモード切り換え時に、第１クラッチCL1を開放し、エンジンEngを停止するエンジン停止制御を行う。
前記動作点指令部１０ｄは、アクセル開度APOと、車速VSPと、目標モード等の入力情報に基づき、ＦＲハイブリッド車両の動作点到達目標を演算する。なお、動作点到達目標として、目標エンジントルクと目標MGトルクと目標MG回転数と目標CL1トルクと目標CL2トルクと目標変速段が演算される。そして、この動作点指令部１０ｄは、目標エンジントルク指令と目標MGトルク指令と目標MG回転数指令と目標CL1トルク指令と目標CL2トルク指令と目標変速段指令を、ＣＡＮ通信線１１を介して各コントローラ１，２，５，７に出力する。
【００２８】
そして、前記エンジン始動制御部１０ｂは、「EVモード」から「HEVモード」へのモード切り換え時に、第２クラッチCL2を滑り締結すると共に第１クラッチCL1を締結し、モータジェネレータMGをスタータモータとしてエンジンEngを始動するエンジン始動制御を行う。
また、このエンジン始動制御部１０ｂは、始動要求前駆動力判定部１０ｅと、変速比判定部１０ｆと、トルク分担比設定部１０ｇと、を備えている。
【００２９】
前記始動要求前駆動力判定部１０ｅは、エンジン始動要求が発生する前のドライバーの要求駆動力の大きさを判定する。
【００３０】
前記変速比判定部１０ｆは、エンジン始動要求が発生した時点（エンジン始動要求発生時）の変速比の大きさを判定する。
【００３１】
前記トルク分担比設定部１０ｇは、エンジン始動要求が発生する前のドライバーの要求駆動力が所定閾値（第２閾値）よりも小さいとき、エンジン始動要求が発生した時点（エンジン始動要求発生時）の変速比の大きさに応じて、エンジンEngの始動中における第１クラッチCL1の伝達トルクと第２クラッチCL2の伝達トルクとのトルク分担比を設定する。
【００３２】
［自動変速機の概略構成］
図３は、実施例１における自動変速機の一例をスケルトン図により示し、図４は、自動変速機での変速段ごとの各摩擦締結要素の締結状態を示し、図５は、ＡＴコントローラに設定されている自動変速機のシフトマップの一例を示す。以下、図３〜図５に基づいて、自動変速機ATの概略構成を説明する。
【００３３】
前記自動変速機ATは、前進７速後退１速の有段式自動変速機であり、図３に示すように、エンジンEngとモータ/ジェネレータMGのうち、少なくとも一方からの駆動力が変速機入力軸Inputから入力され、４つの遊星ギアと７つの摩擦締結要素を有する変速ギア機構によって、回転速度が変速されて変速機出力軸Outputから出力される。
【００３４】
前記変速ギア機構としては、同軸上に、第１遊星ギアG1及び第２遊星ギアG2による第１遊星ギアセットGS1と、第３遊星ギアG3及び第４遊星ギアG4による第２遊星ギアセットGS2と、が順に配置されている。また、油圧作動の摩擦締結要素として、第１クラッチC1(I/C)と、第２クラッチC2(D/C)と、第３クラッチC3(H&LR/C)と、第１ブレーキB1(Fr/B)と、第２ブレーキB2(Low/B)と、第３ブレーキB3(2346/B)と、第４ブレーキB4(R/B)と、が配置されている。また、機械作動の係合要素として、第１ワンウェイクラッチF1(1stOWC)と、第２ワンウェイクラッチF2(1&2OWC)と、が配置されている。
【００３５】
前記第１遊星ギアG1、第２遊星ギアG2、第３遊星ギアG3、第４遊星ギアG4は、サンギア（S1〜S4）と、リングギア（R1〜R4）と、両ギア（S1〜S4）,（R1〜R4）に噛み合うピニオン（P1〜P4）を支持するキャリア（PC1〜PC4）と、を有するシングルピニオン型遊星ギアである。
【００３６】
前記変速機入力軸Inputは、第２リングギアR2に連結され、エンジンEngとモータ/ジェネレータMGの少なくとも一方からの回転駆動力を入力する。前記変速機出力軸Outputは、第３キャリアPC3に連結され、出力回転駆動力を、ファイナルギア等を介して駆動輪（左右後輪RL,RR）に伝達する。
【００３７】
第１リングギアR1と第２キャリアPC2と第４リングギアR4とは、第１連結メンバM1により一体的に連結される。第３リングギアR3と第４キャリアPC4とは、第２連結メンバM2により一体的に連結される。第１サンギアS1と第２サンギアS2とは、第３連結メンバM3により一体的に連結される。
【００３８】
図４は締結作動表であり、図４において、○印はドライブ状態で当該摩擦締結要素が油圧締結であることを示し、（○）印はコースト状態で当該摩擦締結要素が油圧締結（ドライブ状態ではワンウェイクラッチ作動）であることを示し、無印は当該摩擦締結要素が開放状態であることを示す。また、ハッチングにて示される締結状態の摩擦締結要素は、各変速段にて第２クラッチCL2として用いる要素を示す。
【００３９】
隣接する変速段への変速については、上記各摩擦締結要素のうち、締結していた１つの摩擦締結要素を開放し、開放していた１つの摩擦締結要素を締結するという架け替え変速により、図４に示すように、前進７速で後退１速の変速段を実現することができる。さらに、変速段が１速段及び２速段のときには、第２ブレーキB2(Low/B)が第２クラッチCL2とされる。変速段が３速段のときには、第２クラッチC2(D/C)が第２クラッチCL2とされる。変速段が４速段及び５速段のときには、第３クラッチC3(H&LR/C)が第２クラッチCL2とされる。変速段が６速段及び７速段のときには、第１クラッチC1(I/C)が第２クラッチCL2とされる。変速段が後退段のときには、第４ブレーキB4(R/B)が第２クラッチCL2とされる。
【００４０】
図５はシフトマップであり、車速VSPとアクセル開度APOで特定されるマップ上での運転点が、アップ変速線を横切ると、アップ変速指令が出力される。例えば、変速段が１速段のとき、車速VSPの上昇により運転点（VSP,APO）が１→２アップ変速線を横切ると、１→２アップ変速指令が出力される。なお、図５はアップ変速線のみを記載しているが、勿論、アップ変速線に対してヒステリシスを持たせてダウン変速線も設定されている。
【００４１】
［エンジン始動時のクラッチトルク分担比設定処理構成］
図６は、実施例１にて実行されるエンジン始動時のクラッチトルク分担比設定処理の流れを示すフローチャートである。以下、エンジン始動制御部において実行されるエンジン始動時のクラッチトルク分担比設定処理構成をあらわす図６のフローチャートの各ステップについて説明する。
【００４２】
ステップＳ１では、「EVモード」での走行中にエンジン始動要求が発生したか否かを判断する。YES（始動要求あり）の場合はステップＳ２へ進む。NO（始動要求なし）の場合はステップＳ１を繰り返す。
ここで、エンジン始動要求の発生有無は、図２に示すEV-HEV選択マップ上に存在する運転点がEV側からHEV側へ移動してEV⇒HEV切替線を横切り、目標モードが「EVモード」から「HEVモード」へと切り替わったことで判断する。
【００４３】
ステップＳ２では、ステップＳ１でのエンジン始動要求ありとの判断に続き、エンジン始動要求が発生する直前における目標駆動トルクの大きさと、エンジン始動要求が発生する直前におけるアクセル操作の有無を検出し、ステップＳ３へ進む。
ここで、「目標駆動トルク」は、第２クラッチCL2への伝達トルク指令値（目標CL2トルク指令）であり、ドライバーの要求駆動力を示す値である。また、「アクセル操作の有無」は、アクセル開度APO生じているか否かに基づいて判断する。アクセル開度APOが発生していればアクセルが踏み込まれていることを示すため、アクセル操作ありと判断する。このアクセル操作の有無によってドライバーの要求駆動力の発生を推定することができる。
なお、「エンジン始動要求が発生する直前」とは、エンジン始動要求が発生したタイミングに対し、ごく僅かな時間遡ったタイミングである。この遡る時間は任意に設定することができる。
【００４４】
ステップＳ３では、ステップＳ２での目標駆動トルク及びアクセル操作有無の検出に続き、ステップＳ２で検出したエンジン始動要求発生前の目標駆動トルクが、予め設定した駆動トルク閾値（第２の閾値）よりも小さいか否かを判断する。YES（目標駆動トルク＜駆動トルク閾値）の場合はステップＳ５へ進む。NO（目標駆動トルク≧駆動トルク閾値）の場合は、ステップＳ４へ進む。
ここで、「駆動トルク閾値」は、目標CL2トルク指令によって示される値であり、予め感応試験等によって設定される。すなわち、それを越える第２クラッチ伝達トルクがあるときに、エンジン始動に伴う第２クラッチ伝達トルクの低減が発生したら、駆動力抜けの発生を強く感じてしまい、ドライバーに違和感を与えるという上限値を推定して設定する。そのため、エンジン始動要求が発生する直前の第２クラッチ伝達トルクが、この「駆動トルク閾値」よりも小さければ、第２クラッチ伝達トルクがエンジン始動時に低減したとしても、駆動力抜けをほとんど感じず、ドライバーに違和感を与えることはない。
【００４５】
ステップＳ４では、ステップＳ３での目標駆動トルク≧駆動トルク閾値との判断に続き、ステップＳ２で検出したエンジン始動要求発生前におけるアクセル操作がないか否かを判断する。YES（アクセル操作なし）の場合はステップＳ５へ進む。NO（アクセル操作あり）の場合は、ステップＳ10へ進む。
すなわち、アクセル操作があれば、エンジン始動要求時のドライバー要求駆動力が大きく、エンジン始動に伴って第２クラッチ伝達トルクの低減が発生したら、駆動力抜けの発生を強く感じてしまい、ドライバーに違和感を与えると判断できる。一方、アクセル操作がなければ、エンジン始動要求時のドライバー要求駆動力が小さく、第２クラッチ伝達トルクがエンジン始動時に低減したとしても、駆動力抜けをほとんど感じず、ドライバーに違和感を与えることはないと判断できる。
【００４６】
なお、このステップＳ３及びステップＳ４は、始動要求前駆動力判定部１０ｅにて実行されるエンジン始動要求発生前の要求駆動力の大きさ判定処理を示す。
【００４７】
ステップＳ５では、ステップＳ３での目標駆動トルク＜駆動トルク閾値との判断、又は、ステップＳ４でのアクセル操作なしとの判断に続き、エンジン始動要求が発生したときのアクセル踏み込み量の大きさと、アクセル踏み込み変化量の大きさを検出し、ステップＳ６へ進む。
ここで、「アクセル踏み込み量」は、アクセル開度センサ１６によって検出されたアクセル開度APOであり、ドライバー要求駆動力を示す値である。また、「アクセル踏み込み変化量」は、エンジン始動要求発生時から所定時間内のアクセル開度APOの変化量であり、ドライバー要求駆動力を示す値である。
【００４８】
ステップＳ６では、ステップＳ５でのアクセル踏み込み量及びアクセル踏み込み変化量の検出に続き、ステップＳ５で検出したエンジン始動要求発生時のアクセル踏み込み量が、予め設定した踏み込み量閾値よりも大きいか否かを判断する。YES（踏み込み量＞踏み込み量閾値）の場合はステップＳ８へ進む。NO（踏み込み量≦踏み込み量閾値）の場合は、ステップＳ７へ進む。
ここで、「踏み込み量閾値」は、予め感応試験等によって設定される。すなわち、それを越えるアクセル踏み込み操作があることで、ドライバーの要求駆動力が高く、速やかなエンジン始動が望まれるという下限値を推定して設定する。そのため、エンジン始動要求が発生したときのアクセル踏み込み量が、この「踏み込み量閾値」よりも大きければ、直ちにエンジン始動を行うことでエンジン始動ショックが生じても、ドライバーが速やかなエンジン始動を望んでいるため違和感を与えることはない。
【００４９】
ステップＳ７では、ステップＳ６での踏み込み量≦踏み込み量閾値との判断に続き、ステップＳ５で検出したエンジン始動要求発生時のアクセル踏み込み変化量が、予め設定した踏み込み変化量閾値よりも大きいか否かを判断する。YES（踏み込み変化量＞踏み込み変化量閾値）の場合はステップＳ８へ進む。NO（踏み込み変化量≦踏み込み変化量閾値）の場合は、ステップＳ10へ進む。
ここで、「踏み込み変化量閾値」は、予め感応試験等によって設定される。すなわち、それを越えてアクセル踏み込み操作が変化することで、ドライバーの要求駆動力が高く、速やかなエンジン始動が望まれるという下限値を推定して設定する。そのため、エンジン始動要求が発生したときのアクセル踏み込み変化量が、この「踏み込み変化量閾値」よりも大きければ、直ちにエンジン始動を行うことでエンジン始動ショックが生じても、ドライバーが速やかなエンジン始動を望んでいるため違和感を与えることはない。
【００５０】
ステップＳ８では、ステップＳ６での踏み込み量＞踏み込み量閾値との判断、又は、ステップＳ７での踏み込み変化量＞踏み込み変化量閾値との判断に続き、エンジン始動要求が発生したときの自動変速機ATの変速段を検出し、ステップＳ９へ進む。
ここで、自動変速機ATの変速段は、アクセル開度APOと車速VSPにより決まる運転点が、図５に示すシフトマップ（図５参照）上で存在する位置によって設定される変速段とする。
【００５１】
ステップＳ９では、ステップＳ８での変速段の検出に続き、エンジン始動制御を行っている間の第１クラッチCL1への伝達トルク指令値（目標CL1トルク指令）を、変速段に応じて決められる値に設定し、ステップＳ11へ進む。
ここで、第１クラッチ伝達トルク指令値は、図７に示す設定マップによって決められ、４速段を閾値（第１閾値）として、１速段から３速段のときには第２の値に設定され、４速段から７速段のときには第１の値に設定される。つまり、この図７は、変速比判定部１０ｆにおいてエンジン始動要求発生時の自動変速機ATの変速比（変速段）の大きさを判定する際の基準となる。
図７の設定マップ中、「第１の値」は、第１クラッチCL1を介してエンジンEng側に伝達されるモータトルクの割合を、比較的高めに設定し、速やかなエンジン始動を実現できる値である。ここでは、要求駆動トルクを確保しながらも、最大要求加速度にできるだけ呼応してエンジンクランキングを行う通常のクランキングに必要なトルクよりも大きい値とする。
また、「第２の値」とは、上記第１の値よりも小さい値であり、第１クラッチCL1を介してエンジンEng側に伝達されるモータトルクの割合を、比較的低めに設定し、エンジン始動に伴う駆動力抜けの発生を防止できる値である。ここでは、要求駆動トルクを確保しながらも、最大要求加速度にできるだけ呼応してエンジンクランキングを行う通常のクランキングに必要なトルク値、つまりドライバーの要求駆動力を確保しながらエンジン始動を実現できる最大値とする。
そして、「エンジン始動制御を行っている間」とは、エンジン始動要求が発生してから、エンジンEngの出力回転数がモータ/ジェネレータMGの出力回転数と一致し、いわゆるクランキングが完了する（完爆状態になる）までの間である。
【００５２】
ステップＳ10では、ステップＳ４でのアクセル操作ありとの判断、又は、ステップＳ７での踏み込み変化量≦踏み込み変化量閾値との判断に続き、エンジン始動制御を行っている間の第１クラッチCL1の伝達トルク指令値（目標CL1トルク指令）を、予め設定した所定の値に設定する。
ここで、「所定の値」とは、上記第１の値よりも小さく、第２の値よりも大きい値であって、第１クラッチCL1を介してエンジンEng側に伝達されるモータトルクの割合と、第２クラッチCL2を介して左右後輪（駆動輪）LR,RR側に伝達されるモータトルクの割合を同程度にする値とする。
【００５３】
ステップＳ11では、ステップＳ９又はステップＳ10での第１クラッチ伝達トルク指令値の設定に続き、第２クラッチCL2の伝達トルク指令値（目標CL2トルク指令）の制限値を設定し、エンドへ進む。
ここで、第２クラッチ伝達トルク指令制限値は、モータ/ジェネレータMGの出力可能最大トルクから、ステップＳ８又はステップＳ９で設定した第１クラッチ伝達トルク指令値を差し引いた値に設定する。なお、第２クラッチCL2への伝達トルク指令値（目標CL2トルク指令）は、この第２クラッチ伝達トルク指令制限値よりも小さく、できるだけドライバー要求駆動力に合わせた値になる。
【００５４】
このように、エンジン始動中における第１クラッチCL1の伝達トルクと第２クラッチCL2の伝達トルクとのトルク分担比は、エンジン始動要求時の自動変速機ATの変速段の大きさによって、異なる比率に設定される。つまり、ステップＳ９及びステップＳ11は、トルク分担比設定手段１０ｇにて実行されるトルク分担比設定処理を示す。ここで、「トルク分担比設定処理」とは、エンジン始動要求発生時の自動変速機ATの変速比の大きさに応じて、エンジン始動中における第１クラッチCL1の伝達トルクと第２クラッチCL2の伝達トルクとのトルク分担比を設定することである。
なお、「トルク分担比」とは、モータ/ジェネレータMGからの出力トルクのうち、第１クラッチCL1の締結容量により受け持つ伝達トルクと、第２クラッチCL2の締結容量により受け持つ伝達トルクの分担比率のことをいう。
【００５５】
次に、実施例１のハイブリッド車両の制御装置における作用を、「高変速段時エンジン始動制御作用」、「低変速段時エンジン始動制御作用」、「高目標駆動トルク時エンジン始動制御作用」に分けて説明する。
【００５６】
［高変速段時エンジン始動制御作用］
図８は、実施例１における制御装置において、エンジン始動要求時の変速段が比較的高いときのアクセル開度・CL1伝達トルク指令値・CL2伝達トルク指令値・モータ回転数・エンジン回転数・変速機出力軸回転数・車両加速度の各特性を示すタイムチャートである。
なお、図８中、２点鎖線により比較例のハイブリッド制御装置の特性を示す。以下、図８に基づき、実施例１の高踏み込み時エンジン始動制御作用を説明する。
【００５７】
図８における時刻t１において、EV-HEV選択マップ上の運転点がEV⇒HEV切替線を横切り、エンジン始動要求が発生すると、図６に示すフローチャートにおいてステップＳ１→ステップＳ２へと進む。そして、エンジン始動要求の発生直前における目標駆動トルク（第２クラッチCL2への伝達トルク指令値）、及び、アクセル操作の有無が検出される。ここでは、時刻t１よりわずかに時間を遡った時刻t０における第２クラッチCL2への伝達トルク指令値と、時刻t０におけるアクセル開度APOを検出する。
【００５８】
ここで、時刻t０において、第２クラッチCL2への伝達トルク指令値が、予め設定された駆動トルク閾値を下回っている。そのため、図６に示すフローチャートにおいてステップＳ３→ステップＳ５へと進み、エンジン始動要求が発生したときのアクセル踏み込み量、及び、アクセル踏み込み変化量が検出される。ここでは、時刻t１におけるアクセル開度APOと、時刻t１からこの時刻t１よりわずかに時間を経過した時刻t１´間のアクセル開度APOの変化量を検出する。
【００５９】
時刻t１において、アクセル開度APOは、予め設定した踏み込み量閾値を上回っているので、ステップＳ６においてYESとなり、ドライバーがアクセルを大きく踏み込み、ドライバー要求駆動力が高いと判断される。そして、図６に示すフローチャートにおいてステップＳ８へと進み、エンジン始動要求が発生したときの自動変速機ATの変速段が検出される。ここでは、アクセル開度APOと車速VSP及びシフトマップ（図５）に基づいて検出し、６速段であるとする。
【００６０】
そして、エンジン始動要求発生時の変速段が６速段であることから、図７に示したマップに基づいて、エンジン始動制御を行っている間の第１クラッチCL1への伝達トルク指令値が、予め設定した第１の値に設定される。さらに、ステップＳ11へと進み、第２クラッチCL2の伝達トルク指令制限値が、モータ/ジェネレータMGの出力可能最大トルクから、第１の値を差し引いた値に設定される。
【００６１】
すなわち、自動変速機ATの変速段が比較的高い場合、つまり変速比が小さい値のときには、第１クラッチCL1の伝達トルクと第２クラッチCL2の伝達トルクとのトルク分担比は、第１クラッチCL1の方が優勢になるように設定される。このため、モータ/ジェネレータMGの出力トルクは、エンジンEng側へ優先的に伝達され、駆動輪である左右後輪LR,RR側への伝達は抑制される。
【００６２】
これにより、エンジンEngの出力回転数（エンジン回転数）は、エンジン始動要求の発生タイミング（時刻t１）とほぼ同時に増大を開始し、時刻t２において、モータ/ジェネレータMGの出力回転数（モータ回転数）に一致する。そして、エンジンEngはクランキングが完了し、完爆状態になる。
【００６３】
なお、時刻t１〜t２では、第２クラッチCL2を介して駆動輪（左右後輪LR,RR）へと伝達されるモータトルクが抑えられることから、第２クラッチCL2を介して左右後輪LR,RRに伝達されるトルクは低い状態になる。しかし、エンジン始動要求発生前の目標駆動トルクが低いので、エンジン始動中に駆動輪へ伝達されるトルクが低くても、駆動力抜けは感じにくい。
【００６４】
しかも、このときには変速段が比較的高いため、駆動輪に伝達されるトルクの変動幅が小さく、それに伴って生じる車両前後方向の加速度変動幅も小さくなる。そのため、第１クラッチCL1の伝達トルクが大きく、短時間でクラッチ締結をしたことによるショックが発生しても、第２クラッチ伝達トルク指令値に基づいて想定される車両に作用する加速度（図８において「車両加速度」で示す）の増大を抑えることができる。これにより、エンジン始動ショックによる違和感の発生は抑制される。
【００６５】
時刻t２においてエンジンEngが完爆したら、第１クラッチCL1への伝達トルク指令値及び第２クラッチCL2への伝達トルク指令制限値をそれぞれ高め、第１クラッチCL1及び第２クラッチCL2をそれぞれ完全締結させる。ここで、第２クラッチCL2の締結動作に伴い、第２クラッチ伝達トルク指令値に基づいて想定される車両に作用する加速度は増大する。そして、時刻t３において、第２クラッチCL2への伝達トルク指令値がクラッチ締結指令値に達したら、この第２クラッチ伝達トルク指令値に基づいて想定される車両に作用する加速度は、最大値（Ｇピーク）になる。
【００６６】
次に、比較例のハイブリッド車両の制御装置を説明する。
比較例のハイブリッド車両の制御装置では、エンジン始動要求が発生すると、自動変速機ATの変速段に拘らず、エンジン始動制御を行っている間の第１クラッチCL1への伝達トルク指令値を、予め設定した所定値に設定する。一方、エンジン始動制御を行っている間の第２クラッチCL2への伝達トルク指令制限値は、モータ/ジェネレータMGの出力可能最大トルクから、第１クラッチ伝達トルク指令値を差し引いた値に設定される。なお、この「所定値」は、任意の値に設定されるが、ここでは第１の値よりも小さい、第２の値とする。
【００６７】
これにより、図８において二点鎖線で示すように、時刻t１時点でエンジン始動要求が発生すると、第１クラッチCL1への伝達トルク指令値は、第２の値に設定され、一方、第２クラッチCL2への伝達トルク指令制限値は、モータ出力最大トルクから第２の値を差し引いた値に設定される。
【００６８】
ここで、「第２の値」は、第１の値よりも小さい値である。そのため、実施例１と比べて、モータ/ジェネレータMGの出力トルクのエンジンEng側への伝達は抑制される。
これにより、エンジンEngの出力回転数（エンジン回転数）は、実施例１と比べると増大変化量が小さく、ゆっくり増大していくことになる。
【００６９】
これにより、比較例の制御装置では、エンジン回転数がモータ/ジェネレータMGの出力回転数（モータ回転数）に一致し、エンジンEngのクランキングが完了して完爆状態になるまでに、実施例１よりも時間がかかることとなる。つまり、図８に示す時刻t４（時刻t３よりも遅いタイミング）でクランキング完了となる。
そして、エンジンクランキングが完了したら、第１クラッチCL1への伝達トルク指令値及び第２クラッチCL2への伝達トルク指令値をそれぞれ高める。その後、時刻t５において、第２クラッチCL2への伝達トルク指令値がクラッチ締結指令値に達したら、第２クラッチ伝達トルク指令値に基づいて想定される車両に作用する加速度が最大値（Ｇピーク）になる。
【００７０】
このように、比較例の制御装置では、エンジン始動要求が発生したときの変速段に拘らず、エンジン始動中における第１クラッチCL1の伝達トルクと第２クラッチCL2の伝達トルクとのトルク分担比を、一定にしている。そのため、エンジン始動要求の発生からエンジンEngのクランキングまでに時間がかかってしまい、ドライバーの加速要求に速やかに応えることができない。
【００７１】
なお、この比較例においても、自動変速機ATの変速段は６速段とする。そのため、エンジン始動中に駆動輪である左右後輪LR,RRに伝達されるトルクの変動幅が小さくなり、それに伴って生じる車両前後方向の加速度変動幅も小さい。すなわち、エンジン始動中（時刻t１〜t４）に生じる車両加速度も小さくなる。
しかしながら、変速段が高い場合には、左右後輪LR,RRに伝達されるトルクの変動幅が小さいため、実施例１のように短時間でクラッチ締結をした場合と比べても、車両加速度の差（Δｘ）は大きくならない。
【００７２】
これに対し、実施例１のハイブリッド車両の制御装置では、エンジン始動要求発生時の変速段が比較的高ければ、エンジン始動中における第１クラッチCL1の伝達トルクと第２クラッチCL2の伝達トルクとのトルク分担比を、第１クラッチCL1側が優勢になるように設定する。
そのため、比較例の場合よりも、モータ/ジェネレータMGの出力トルクは、エンジンEng側へ優先的に伝達され、エンジンEngのクランキングに必要な時間を短縮することができ、ドライバーの加速要求に速やかに応えることができる。
【００７３】
さらに、エンジン始動時間を短縮したことで、エンジン始動要求の発生からＧピークまでの時間（時刻t１〜t３までの時間）を、比較例の場合のエンジン始動要求の発生からＧピークまでの時間（時刻t１〜t５までの時間）よりも短くすることができる。そして、Ｇピークまでの時間を短縮したことで、ドライバーに加速感を与えることができ、ドライバビリティの向上をさらに図ることができる。
しかも、高変速段であるために、エンジン始動ショックによる加速度の変動幅は小さくなり、短時間でのエンジン始動を実現しながらも、エンジン始動ショックによる違和感の発生は抑制される。
【００７４】
[低変速段時エンジン始動制御作用]
図９は、実施例１における制御装置において、エンジン始動要求時の変速段が比較的低いときのアクセル開度・CL1伝達トルク指令値・CL2伝達トルク指令値・モータ回転数・エンジン回転数・変速機出力軸回転数・車両加速度の各特性を示すタイムチャートである。
なお、図９中、２点鎖線により比較例のハイブリッド制御装置の特性を示す。以下、図９に基づき、実施例１の低踏み込み時エンジン始動制御作用を説明する。
【００７５】
図９における時刻t11において、EV-HEV選択マップ上の運転点がEV⇒HEV切替線を横切り、エンジン始動要求が発生すると、図６に示すフローチャートにおいてステップＳ１→ステップＳ２へと進む。そして、エンジン始動要求の発生直前における目標駆動トルク（第２クラッチCL2への伝達トルク指令値）、及び、アクセル操作の有無が検出される。ここでは、時刻t11よりわずかに時間を遡った時刻t10における第２クラッチCL2への伝達トルク指令値と、時刻t10におけるアクセル開度APOを検出する。
【００７６】
ここで、時刻t10において、第２クラッチCL2への伝達トルク指令値が、予め設定された駆動トルク閾値を下回っている。そのため、図６に示すフローチャートにおいてステップＳ３→ステップＳ５へと進み、エンジン始動要求が発生したときのアクセル踏み込み量、及び、アクセル踏み込み変化量が検出される。ここでは、時刻t11におけるアクセル開度APOと、時刻t11からこの時刻t11よりわずかに時間を経過した時刻t11´間のアクセル開度APOの変化量を検出する。
【００７７】
時刻t11において、アクセル開度APOは、予め設定した踏み込み量閾値を上回っているので、ステップＳ６においてYESとなり、ドライバーがアクセルを大きく踏み込み、ドライバー要求駆動力が高いと判断される。そして、図６に示すフローチャートにおいてステップＳ８へと進み、エンジン始動要求が発生したときの自動変速機ATの変速段が検出される。ここでは、アクセル開度APOと車速VSP及びシフトマップ（図５）に基づいて検出し、１速段であるとする。
【００７８】
そして、エンジン始動要求発生時の変速段が１速段であることから、図７に示したマップに基づいて、エンジン始動制御を行っている間の第１クラッチCL1への伝達トルク指令値が、予め設定した第２の値に設定される。さらに、ステップＳ11へと進み、第２クラッチCL2の伝達トルク指令制限値が、モータ/ジェネレータMGの出力可能最大トルクから、第２の値を差し引いた値に設定される。
【００７９】
すなわち、自動変速機ATの変速段が比較的低い場合、つまり変速比が大きい値のときには、第１クラッチCL1の伝達トルクと第２クラッチCL2の伝達トルクとのトルク分担比は、第２クラッチCL2の方が優勢になるように設定される。このため、モータ/ジェネレータMGの出力トルクは、駆動輪である左右後輪LR,RR側へ優先的に伝達され、エンジンEng側への伝達は抑制される。
【００８０】
これにより、エンジンEngの出力回転数（エンジン回転数）は、エンジン始動要求の発生タイミング（時刻t11）に対してタイムラグをおいて時刻t12から増大を開始し、時刻t15において、モータ/ジェネレータMGの出力回転数（モータ回転数）に一致する。これにより、エンジンEngはクランキングが完了し、完爆状態になる。
【００８１】
なお、時刻t12〜t15では、第２クラッチCL2を介して駆動輪（左右後輪LR,RR）へと伝達されるモータトルクが大きくなり、第２クラッチCL2を介して左右後輪LR,RRに伝達されるトルクは高い状態になる。そのため、エンジン始動中のドライバー要求駆動力に応えることができ、駆動力抜けを感じにくくすることができる。
【００８２】
また、このときには変速段が比較的低いことから、駆動輪に伝達されるトルクの変動幅が大きく、それに伴って生じる車両前後方向の加速度変動幅も大きくなる。しかしながら、第１クラッチCL1の伝達トルクが比較的小さいので、クラッチ締結をしたことによるショックが発生しても、第２クラッチ伝達トルク指令値に基づいて想定される車両に作用する加速度（図９において「車両加速度」で示す）の増大を抑えることができる。これにより、エンジン始動ショックによる違和感の発生は抑制される。
【００８３】
時刻t15においてエンジンEngが完爆したら、第１クラッチCL1への伝達トルク指令値及び第２クラッチCL2への伝達トルク指令制限値をそれぞれ高め、第１クラッチCL1及び第２クラッチCL2をそれぞれ完全締結させる。ここで、第２クラッチCL2の締結動作に伴い、第２クラッチ伝達トルク指令値に基づいて想定される車両に作用する加速度は増大する。そして、時刻t16において、第２クラッチCL2への伝達トルク指令値がクラッチ締結指令値に達したら、この第２クラッチ伝達トルク指令値に基づいて想定される車両に作用する加速度は、最大値（Ｇピーク）になる。
【００８４】
次に、比較例のハイブリッド車両の制御装置を説明する。
比較例のハイブリッド車両の制御装置では、エンジン始動要求発生時のアクセル踏み込み量が大きいことから、短時間でのエンジン始動を実現するために、エンジン始動制御を行っている間の第１クラッチCL1への伝達トルク指令値を、第１の値よりも小さく、第２の値よりも大きい予め設定した所定値αに設定する。一方、エンジン始動制御を行っている間の第２クラッチCL2への伝達トルク指令制限値は、モータ/ジェネレータMGの出力可能最大トルクから、第１クラッチ伝達トルク指令値を差し引いた値に設定される。
【００８５】
これにより、図９において二点鎖線で示すように、時刻t11時点でエンジン始動要求が発生すると、第１クラッチCL1への伝達トルク指令値は、所定値αに設定され、一方、第２クラッチCL2への伝達トルク指令制限値は、モータ出力最大トルクから所定値αを差し引いた値に設定される。
【００８６】
ここで、「所定値α」は、第２の値よりも大きい値である。そのため、実施例１と比べて、モータ/ジェネレータMGの出力トルクのエンジンEng側への伝達が優先される。
これにより、エンジンEngの出力回転数（エンジン回転数）は、実施例１と比べると増大変化量が大きく、早く増大していくことになる。
【００８７】
これにより、比較例の制御装置では、エンジン回転数がモータ/ジェネレータMGの出力回転数（モータ回転数）に一致し、エンジンEngのクランキングが完了して完爆状態になるまでに、実施例１よりも時間が短縮することになる。つまり、図９に示す時刻t13（時刻t15よりも早いタイミング）でクランキング完了となる。
そして、エンジンクランキングが完了したら、第１クラッチCL1への伝達トルク指令値及び第２クラッチCL2への伝達トルク指令値をそれぞれ高める。その後、時刻t14において、第２クラッチCL2への伝達トルク指令値がクラッチ締結指令値に達したら、第２クラッチ伝達トルク指令値に基づいて想定される車両に作用する加速度が最大値（Ｇピーク）になる。
【００８８】
しかしながら、比較例の制御装置では、実施例１よりも第１クラッチCL1への伝達トルク指令値が大きい値になる。ここで、自動変速機ATの変速段は１速段である。そのため、エンジン始動中に駆動輪である左右後輪LR,RRに伝達されるトルクの変動幅が大きくなり、それに伴って生じる車両前後方向の加速度変動幅も大きい。すなわち、この比較例の制御装置では、エンジン始動中（時刻t11〜t13）に生じる車両加速度も大きくなる。これにより、エンジン始動中の車両加速度と、第２クラッチ伝達トルク指令値に基づいて想定される車両に作用する加速度の最大値（Ｇピーク）との差（Δｙ´）が小さくなってしまう。この結果、エンジン始動が完了したときに生じるショックが分かりにくくなる。つまり、比較例の制御装置では、低変速段であって、一般的に加速要求が高く、エンジン始動感を感じさせたいシーンにもかかわらず、エンジン始動を感覚的に感じることが難しくなっていた。この結果、ドライバーが加速感やツキ感（車両駆動動力が増した感じ）を感じにくくなってしまっていた。
【００８９】
これに対し、実施例１のハイブリッド車両の制御装置では、エンジン始動要求発生時の変速段が比較的低ければ、エンジン始動中における第１クラッチCL1の伝達トルクと第２クラッチCL2の伝達トルクとのトルク分担比を、第２クラッチCL2側が優勢になるように設定する。
そのため、比較例の場合よりも、モータ/ジェネレータMGの出力トルクは、駆動輪（左右後輪LR,RR）側へ優先的に伝達され、エンジン始動中の第１クラッチ伝達トルクを小さくすることができる。これにより、エンジン始動中に駆動輪である左右後輪LR,RRに伝達されるトルクの変動幅が大きくても、エンジン始動中（時刻t11〜t15）に生じる車両加速度を小さくすることができる。このため、エンジン始動中の車両加速度と、第２クラッチ伝達トルク指令値に基づいて想定される車両に作用する加速度の最大値（Ｇピーク）との差（Δｙ）を大きく確保することができ、エンジン始動が完了したときに生じるショックを感じやすくさせることができる。この結果、加速感やツキ感（車両駆動動力が増した感じ）をドライバーが感じやすくなり、エンジン始動を感覚的に感じることができる。
【００９０】
［高目標駆動トルク時エンジン始動制御作用］
図１０は、実施例１における制御装置において、エンジン始動要求前の目標駆動トルクが大きいときのアクセル開度・CL1伝達トルク指令値・CL2伝達トルク指令値・モータ回転数・エンジン回転数・変速機出力軸回転数・車両加速度の各特性を示すタイムチャートである。以下、図１０に基づき、実施例１の高目標駆動トルク時エンジン始動制御作用を説明する。
【００９１】
図１０における時刻t21において、EV-HEV選択マップ上の運転点がEV⇒HEV切替線を横切り、エンジン始動要求が発生すると、図６に示すフローチャートにおいてステップＳ１→ステップＳ２へと進む。そして、エンジン始動要求の発生直前における目標駆動トルク（第２クラッチCL2への伝達トルク指令値）、及び、アクセル操作の有無が検出される。ここでは、時刻t21よりわずかに時間を遡った時刻t20における第２クラッチCL2への伝達トルク指令値と、時刻t20におけるアクセル開度APOを検出する。
【００９２】
ここで、時刻t20において、第２クラッチCL2への伝達トルク指令値が、予め設定された駆動トルク閾値を上回っている。そのため、図６に示すフローチャートにおいてステップＳ３→ステップＳ４へと進み、エンジン始動要求が発生する前にアクセル操作がなかったか判断される。ここで、時刻t20ではアクセル開度APOは発生しているので、アクセル操作ありと判断され、ステップＳ４においてNOとなり、エンジン始動要求が発生する前のドライバーの要求駆動力が高いと判断される。そして、図６に示すフローチャートにおいて、ステップＳ10へと進み、エンジン始動制御を行っている間の第１クラッチCL1への伝達トルク指令値が、予め設定した所定値に設定される。さらに、ステップＳ11へと進み、第２クラッチCL2の伝達トルク指令制限値が、モータ/ジェネレータMGの出力可能最大トルクから、所定値を差し引いた値に設定される。
【００９３】
すなわち、エンジン始動要求前のドライバーの要求駆動力が高い場合には、第１クラッチCL1の伝達トルクと第２クラッチCL2の伝達トルクとのトルク分担比は、あらかじめ決められた比率（ここでは同程度）になるように設定される。
【００９４】
これにより、時刻t21以降の第２クラッチCL2への伝達トルク指令値は、制限値によって制限されるので、わずかに低下する。しかし、例えば第１クラッチCL1への伝達トルク指令値を第１の値に設定した場合（図８に示す場合）と比較して、この第２クラッチ伝達トルク指令値の低下量を抑えることができる。
【００９５】
そして、第１クラッチCL1へ伝達トルク指令値を出力することで、第１クラッチCL1が締結（スリップ締結）し、エンジンEngの出力回転数（エンジン回転数）は増大を開始し、時刻t22において、モータ/ジェネレータMGの出力回転数（モータ回転数）に一致する。これにより、エンジンEngはクランキングが完了し、完爆状態になる。
【００９６】
また、モータ/ジェネレータMGの出力トルクを、エンジンEng側と駆動輪である左右後輪LR,RR側とを同程度に伝達することで、エンジン始動中の第２クラッチ伝達トルク指令値の低下量が抑えられる。そのため、時刻t21〜t22では、第２クラッチ伝達トルク指令値に基づいて想定される車両に作用する加速度（図１０において「車両加速度」で示す）は、わずかに低下するものの、第２クラッチCL2の伝達トルク指令制限値を大幅に制限した場合（図８に示す場合）と比べて、この加速度の低下も抑えることができる。この結果、駆動力抜けを大きく感じさせることなくエンジン始動制御を行うことができる。
【００９７】
時刻t22においてエンジンEngが完爆したら、第１クラッチCL1への伝達トルク指令値及び第２クラッチCL2への伝達トルク指令制限値をそれぞれ高め、第１クラッチCL1及び第２クラッチCL2をそれぞれ完全締結させる。そして、時刻t23において、第２クラッチCL2への伝達トルク指令値がクラッチ締結指令値に達したら、この第２クラッチ伝達トルク指令値に基づいて想定される車両に作用する加速度は、最大値（Ｇピーク）になる。
【００９８】
このように、実施例１のハイブリッド車両の制御装置では、エンジン始動要求発生前の目標駆動トルクやアクセル操作にあらわれるドライバーの要求駆動力が、予め設定した駆動トルク閾値よりも小さい場合に限り、自動変速機ATの変速段に応じて、エンジン始動中における第１クラッチCL1の伝達トルクと第２クラッチCL2の伝達トルクとのトルク分担比を設定する。
そのため、ドライバーの要求駆動力が高い場合に発生するエンジン始動中の駆動力抜けを、抑えることができる。
【００９９】
すなわち、エンジン始動要求が発生した時点において、ドライバーの要求駆動力が高い場合、エンジン始動に伴って第１クラッチCL1の伝達トルクの分担比率を高めると、第２クラッチCL2の伝達トルク分担比は相対的に低下し、駆動力抜けの発生は免れない。
このとき、自動変速機ATの変速段に基づいて、エンジン始動中における第１クラッチCL1の伝達トルクと第２クラッチCL2の伝達トルクとのトルク分担比を、第１クラッチCL1が優勢になるように設定してしまうと、大きな駆動力抜けを生じさせてしまう。
そのため、エンジン始動要求発生前のドライバー要求駆動力が小さい場合に限り、自動変速機ATの変速段に応じて、エンジン始動中における第１クラッチCL1の伝達トルクと第２クラッチCL2の伝達トルクとのトルク分担比を設定することで、大きな駆動力抜けの発生を防止することができる。
【０１００】
以上説明したように、実施例１のハイブリッド車両の制御装置では、エンジン始動要求発生時の自動変速機ATの変速段（変速比）の大きさに応じて、エンジン始動中における第１クラッチCL1の伝達トルクと前記第２クラッチCL2の伝達トルクとのトルク分担比を設定する。
そのため、エンジン始動要求発生時の変速段（変速比）の大きさの違いによって、エンジン始動中におけるモータ出力トルクのうち、第１クラッチによって伝達されるトルクと、第２クラッチによって伝達されるトルクの分担比率を変化させることができる。
【０１０１】
これにより、変速段によって異なる車両加速度の変化量に合わせて、必要なときにはエンジン始動時にドライバーにエンジン始動感を感じさせつつ、エンジン始動感が不要なときにはエンジン始動時間の短縮を図ってドライバー要求駆動力に速やかに応じることができる。この結果、エンジン始動時のドライバビリティの向上を図ることができる。
【０１０２】
しかも、実施例１の制御装置では、エンジン始動要求発生時の自動変速機ATの変速段が比較的高い場合のエンジン始動中における第１クラッチCL1の伝達トルク分担比を、エンジン始動要求発生時の自動変速機ATの変速段が比較的低い場合よりも、大きい値に設定している。
つまり、エンジン始動要求発生時の変速比が小さくて車両加速度変化量が小さくなるときには、クラッチ伝達トルク分担比を、第１クラッチCL1側が優勢になるように設定する。そのため、発生するエンジン始動ショックが小さくなるシーンを選択して、モータ/ジェネレータMGの出力トルクをエンジンEng側へ優先的に伝達し、エンジンEngのクランキングに必要な時間を短縮することができて、ドライバーの加速要求に速やかに応えることができる。
【０１０３】
特に、実施例１の制御装置では、エンジン始動要求発生時の自動変速機ATの変速段が、予め設定した閾値（４速段）以上のときには、エンジン始動中における第１クラッチCL1の伝達トルク分担比を比較的大きい第１の値に設定する。
一方、エンジン始動要求発生時の自動変速機ATの変速段が、予め設定した閾値（４速段）未満のときには、エンジン始動中における第１クラッチCL1の伝達トルク分担比を第１の値よりも小さい第２の値に設定する。
【０１０４】
すなわち、実施例１の制御装置では、エンジン始動要求発生時の自動変速機ATの変速段に対して閾値（ここでは４速段）を有し、この閾値を基準にして変速段の大きさを判断する。そして、判断された変速段の大きさに応じて、第１クラッチCL1の伝達トルク分担比を切り替える。
これにより、エンジン始動中における第１クラッチCL1の伝達トルクと第２クラッチCL2の伝達トルクとのトルク分担比の設定を簡易に行うことができる。
【０１０５】
次に、効果を説明する。
実施例１のハイブリッド車両の制御装置にあっては、下記に挙げる効果を得ることができる。
【０１０６】
(1) 駆動源としてエンジンEngとモータ（モータ/ジェネレータ）MGを備え、前記エンジンEngと前記モータMGとの間に第１クラッチCL1を介装し、前記モータMGと駆動輪（左右後輪）LR,RRとの間に第２クラッチCL2及び自動変速機（変速機）ATを介装したハイブリッド車両に搭載され、
前記第１クラッチCL1を開放し、前記モータMGのみを駆動源とした走行中にエンジン始動要求があった場合、前記第２クラッチCL2を滑り締結すると共に前記第１クラッチCL1を締結し、前記モータMGをスタータモータとして前記エンジンEngを始動するエンジン始動制御部１０ｂを備えたハイブリッド車両の制御装置において、
前記エンジン始動制御部１０ｂは、
エンジン始動要求発生時の前記変速機ATの変速比（変速段）の大きさを判定する変速比判定部１０ｆと、
前記エンジン始動要求発生時の前記変速機ATの変速比（変速段）の大きさに応じて、前記エンジンEngの始動中における前記第１クラッチCL1の伝達トルクと前記第２クラッチCL2の伝達トルクとのトルク分担比を設定するトルク分担比設定部１０ｇと、
を備える構成とした。
これにより、自動変速機ATの変速段（変速比）に合わせ、必要に応じてドライバーにエンジン始動感を感じさせつつ、可能なときにはエンジン始動時間の短縮を図ってドライバー要求駆動力に速やかに応じることができ、エンジン始動時のドライバビリティの向上を図ることができる。
【０１０７】
(2) 前記トルク分担比設定部１０ｇは、前記エンジン始動要求発生時の前記変速機ATの変速比が比較的小さい（変速段が比較的高い）場合の前記エンジンEngの始動中における前記第１クラッチCL1の伝達トルク分担比を、前記エンジン始動要求発生時の前記変速機ATの変速比が比較的大きい（変速段が比較的低い）場合の前記エンジンEngの始動中における前記第１クラッチCL1の伝達トルク分担比よりも、大きい値に設定する構成とした。
これにより、エンジン始動要求時の変速段が高い（変速比が小さい）ときには、エンジン始動までの時間を短縮し、ドライバーの加速要求に速やかに応えることができる。また、エンジン始動要求時の変速段が低い（変速比が大きい）ときには、ドライバーにエンジン始動感を感じさせることができる。
【０１０８】
(3) 前記トルク分担比設定部１０ｇは、前記エンジン始動要求発生時の要求駆動力が予め設定した第１閾値（４速段）以上のときには、前記エンジンEngの始動中における前記第１クラッチCL1の伝達トルク分担比を第１の値に設定し、
前記エンジン始動要求発生時の要求駆動力が前記第１閾値（４速段）よりも小さいときには、前記エンジンEngの始動中における前記第１クラッチCL1の伝達トルク分担比を前記第１の値よりも小さい第２の値に設定する構成とした。
これにより、エンジン始動中における第１クラッチCL1の伝達トルクと第２クラッチCL2の伝達トルクとのトルク分担比の設定を簡易に行うことができる。
【０１０９】
(4) 前記エンジン始動制御手段１０ｂは、前記エンジン始動要求が発生する前の前記ドライバーの要求駆動力の大きさを判定する始動要求発生前駆動力判定部１０ｅを備え、
前記トルク分担比設定部１０ｇは、前記エンジン始動要求発生前の要求駆動力が予め設定した第２閾値（駆動トルク閾値，アクセル操作）よりも小さい場合に、前記エンジン始動要求発生時の前記変速機ATの変速比の大きさに応じて、前記エンジンEngの始動中における前記第１クラッチCL1の伝達トルクと前記第２クラッチCL2の伝達トルクとのトルク分担比を設定する構成とした。
これにより、ドライバーの要求駆動力が高い場合に発生してしまうエンジン始動中の駆動力抜けを抑えることができる。
【０１１０】
以上、本発明のハイブリッド車両の制御装置を実施例１に基づき説明してきたが、具体的な構成については、この実施例に限られるものではなく、請求の範囲の各請求項に係る発明の要旨を逸脱しない限り、設計の変更や追加等は許容される。
【０１１１】
上記実施例１では、エンジン始動要求時の自動変速機ATの大きさによって、第１クラッチCL1の伝達トルクのトルク分担比を切り替える例を示した。しかしながら、これに限らず、例えば図１１に示すように、変速比を無段階に変化させられる無段変速機において、エンジン始動要求時の変速比が小さいほど、エンジン始動中の第１クラッチ伝達トルク分担比を大きい値に設定してもよい。
この場合では、第１クラッチCL1の伝達トルク分担比が、変速比に応じて無段階的（直線的）に変化する。このため、変速比に合ったトルク分担比を実現することができ、エンジン始動制御中のドライバビリティのさらなる向上を図ることができる。
【０１１２】
また、実施例１では、第２クラッチCL2として、自動変速機AT内の変速要素を流用し、各変速段にて締結される３つの締結要素から選択した要素を第２クラッチCL2とする例を示した。しかし、第２クラッチCL2としては、モータと自動変速機の入力軸間に介装したクラッチや自動変速機の出力軸と駆動輪との間に介装したクラッチのように、自動変速機から独立して設けられたクラッチとしてもよい。
【０１１３】
また、実施例１では、エンジン始動要求が発生したときのドライバー要求駆動力が大きい場合に限って、自動変速機ATの変速段に応じて第１クラッチ伝達トルクと第２クラッチ伝達トルクのトルク分担比を設定する例を示した。これにより、ドライバー要求駆動力が低いときには、駆動力抜けの発生を防止しながらエンジン始動を行うことができる。
しかしながら、エンジン始動要求発生時の要求駆動力に拘らず、変速段に応じてトルク分担比を設定してもよい。
【関連出願の相互参照】
【０１１４】
本出願は、２０１３年４月４日に日本国特許庁に出願された特願２０１３−７８６９５に基づいて優先権を主張し、その全ての開示は完全に本明細書で参照により組み込まれる。 
【図１】
0005971407.tif 000002
【図２】
0005971407.tif 000003
【図３】
0005971407.tif 000004
【図４】
0005971407.tif 000005
【図５】
0005971407.tif 000006
【図６】
0005971407.tif 000007
【図７】
0005971407.tif 000008
【図８】
0005971407.tif 000009
【図９】
0005971407.tif 000010
【図１０】
0005971407.tif 000011
【図１１】
0005971407.tif 000012